(57)【要約】【課題】内部電源の増大を抑えつつ、外部機器へ電力を供給することが可能な表示装置を提供する。【解決手段】表示装置１０は、画像を表示する表示パネル１１と、表示パネル１１の背面から光を照射するバックライト１２と、外部機器２０を接続する外部接続インタフェース１３と、バックライト１２及び接続された外部機器２０へ電力を供給する内部電源１４と、外部機器２０へ供給が必要な要求電力に基づいて、バックライト１２の明るさを制御する制御部１５とを備える。【選択図】図１
2018029028.tif 000002
【特許請求の範囲】
【請求項１】
画像を表示する表示パネルと、
前記表示パネルの背面から光を照射するバックライトと、
外部機器を接続する外部接続インタフェースと、
前記バックライト及び前記接続された外部機器へ電力を供給する内部電源と、
前記外部機器へ供給が必要な要求電力に基づいて、前記バックライトの明るさを制御する制御部と
を備える、表示装置。
【請求項２】
前記要求電力は、前記外部機器から要求された電力、または、前記外部機器へ供給している電力を検出器によって検出した検出値である、
請求項１に記載の表示装置。
【請求項３】
前記内部電源は、前記バックライトを含む前記表示装置内部で必要な最大内部電力と供給余裕電力との合計の電力を供給可能であり、
前記制御部は、前記要求電力が前記供給余裕電力よりも小さい場合、前記バックライトの明るさを制限しない、
請求項１または２に記載の表示装置。
【請求項４】
前記制御部は、前記要求電力が前記最大内部電力を超える場合、前記最大内部電力を前記外部機器へ供給し、前記バックライトの電力が前記供給余裕電力より低くなるように前記バックライトの明るさを制限する、
請求項３に記載の表示装置。
【請求項５】
前記制御部は、前記要求電力が前記供給余裕電力から前記最大内部電力の範囲内である場合、前記要求電力を前記外部機器へ供給し、前記バックライトの電力が前記内部電源の合計の電力と前記要求電力との差分の電力より低くなるように前記バックライトの明るさを制限する、
請求項３または４に記載の表示装置。
【請求項６】
前記バックライトの明るさを設定する明るさ設定部を備え、
前記制御部は、前記設定された明るさと前記要求電力に基づいて、前記バックライトの明るさを制御する、
請求項１乃至５のいずれか一項に記載の表示装置。
【請求項７】
前記バックライトをＰＷＭ信号により駆動するバックライト駆動部を備え、
前記制御部は、前記ＰＷＭ信号のデューティを制御することで、前記バックライトの明るさを制御する、
請求項１乃至６のいずれか一項に記載の表示装置。
【請求項８】
前記外部接続インタフェースは、ＵＳＢ規格またはＤｉｓｐｌａｙＰｏｒｔ規格に準拠したインタフェースである、
請求項１乃至７のいずれか一項に記載の表示装置。
【請求項９】
画像を表示する表示パネルと、前記表示パネルの背面から光を照射するバックライトと、を備えた表示装置の制御方法であって、
外部接続インタフェースに外部機器を接続し、
内部電源から前記バックライト及び前記接続された外部機器へ電力を供給し、
前記外部機器へ供給が必要な要求電力に基づいて、前記バックライトの明るさを制御する、
表示装置の制御方法。
【請求項１０】
画像を表示する表示パネルと、前記表示パネルの背面から光を照射するバックライトと、を備えた表示装置に実行させるための制御プログラムであって、
外部接続インタフェースに外部機器を接続し、
内部電源から前記バックライト及び前記接続された外部機器へ電力を供給し、
前記外部機器へ供給が必要な要求電力に基づいて、前記バックライトの明るさを制御する、
表示装置の制御プログラム。
【発明の詳細な説明】
【技術分野】
【０００１】
本発明は、表示装置、その制御方法及びその制御プログラムに関し、特に、外部機器を接続する表示装置、その制御方法及びその制御プログラムに関する。
【背景技術】
【０００２】
アクセサリー電源として周辺装置などの外部機器へ電源を供給するため、ＵＳＢなどのオプションの電力供給端子を備える表示装置（映像表示装置、画像表示装置）が知られている。関連する技術として、例えば特許文献１〜６が知られている。
【０００３】
近年、ＵＳＢ機器の機能や必要な電力が多様化しており、ＵＳＢ端子を備える表示装置から外部機器へ大電力を供給したいという要望が出てきている。ＵＳＢの新規格である、ＵＳＢ  Ｔｙｐｅ  Ｃ規格及び、ＵＳＢ  ３．１パワーデリバリー規格は、このような要望を叶えるものである。
【先行技術文献】
【特許文献】
【０００４】
【特許文献１】特開平１０−１１６１３９号公報
【特許文献２】特開２００１−０９４６６２号公報
【特許文献３】特表２００５−５２４１０１号公報
【特許文献４】特開２００８−０８５９３５号公報
【特許文献５】特開２０１０−００２５０３号公報
【特許文献６】特開２００９−１５３３３６号公報
【発明の概要】
【発明が解決しようとする課題】
【０００５】
しかしながら、ＵＳＢ  Ｔｙｐｅ  Ｃなどの新規格を用いたとしても、関連する表示装置では、外部機器へ大電力を供給するためには表示装置の電源の容量を増やす必要がある。そうすると、電源の容量の増加にしたがって電源回路（電源装置）の体積も増えることになる。さらに、電源回路の体積の増大は、表示装置そのものの体積を増やすことにも直結する。表示装置のサイズが大きくなることは、ユーザーにとって好ましいことではない。
【０００６】
例えば、一般的な情報処理用表示装置の消費電力はおよそ４０［Ｗ］であり、３０［Ｗ］の電力（ＵＳＢ  Ｔｙｐｅ  Ｃの一例）を外部機器へ供給するには、合計７０［Ｗ］の電源が必要であった。この場合、外部機器を想定しない当初設計の電力容量（４０［Ｗ］）に対して２倍近い電源となる。
【０００７】
したがって、関連する技術では、内部電源の増大を抑えつつ、表示装置から外部機器へ電力を供給することは困難であるという課題がある。
【０００８】
本発明は、このような課題に鑑み、内部電源の増大を抑えつつ、外部機器へ電力を供給することが可能な表示装置、その制御方法及びその制御プログラムを提供することを目的とする。
【課題を解決するための手段】
【０００９】
本発明に係る表示装置は、画像を表示する表示パネルと、前記表示パネルの背面から光を照射するバックライトと、外部機器を接続する外部接続インタフェースと、前記バックライト及び前記接続された外部機器へ電力を供給する内部電源と、前記外部機器へ供給が必要な要求電力に基づいて、前記バックライトの明るさを制御する制御部とを備えるものである。
【００１０】
本発明に係る表示装置の制御方法は、画像を表示する表示パネルと、前記表示パネルの背面から光を照射するバックライトと、を備えた表示装置の制御方法であって、外部接続インタフェースに外部機器を接続し、内部電源から前記バックライト及び前記接続された外部機器へ電力を供給し、前記外部機器へ供給が必要な要求電力に基づいて、前記バックライトの明るさを制御するものである。
【００１１】
本発明に係る表示装置の制御プログラムは、画像を表示する表示パネルと、前記表示パネルの背面から光を照射するバックライトと、を備えた表示装置に実行させるための制御プログラムであって、外部接続インタフェースに外部機器を接続し、内部電源から前記バックライト及び前記接続された外部機器へ電力を供給し、前記外部機器へ供給が必要な要求電力に基づいて、前記バックライトの明るさを制御するものである。
【発明の効果】
【００１２】
本発明によれば、内部電源の増大を抑えつつ、外部機器へ電力を供給することが可能な表示装置、その制御方法及びその制御プログラムを提供することができる。
【図面の簡単な説明】
【００１３】
【図１】実施の形態に係る表示装置の概要構成例を示すブロック図である。
【図２】実施の形態１に係る表示装置の構成例を示すブロック図である。
【図３】実施の形態１に係る表示装置の動作例を示すフローチャートである。
【図４】実施の形態１に係る表示装置の動作例を説明するための明るさ設定とバックライト出力の関係を示すグラフである。
【図５】実施の形態２に係る表示装置の構成例を示すブロック図である。
【発明を実施するための形態】
【００１４】
（実施の形態の概要）
まず、図１を用いて、実施の形態の概要について説明する。図１に示すように、実施の形態に係る表示装置１０は、表示パネル１１、バックライト１２、外部接続インタフェース１３、内部電源１４、制御部１５を備えている。
【００１５】
表示パネル１１は、液晶パネルなど、画像を表示する表示部である。バックライト１２は、表示パネル１１の背面から光を照射する照射部である。外部接続インタフェース１３は、ＵＳＢなど、外部機器２０を接続するためのインタフェースである。内部電源１４は、バックライト１２及び外部接続インタフェース１３に接続された外部機器２０へ電力を供給する電力供給部である。制御部１５は、外部機器２０へ供給が必要な要求電力に基づいて、バックライト１２の明るさを制御する。
【００１６】
このような構成により、実施の形態は、ＵＳＢなどの外部接続インタフェースに大電力の外部機器が接続された場合、外部機器へ電力を供給することを優先し、その電力をまかなうために表示装置のバックライトの明るさを制限することによって電力を融通するという特徴がある。
【００１７】
例えば、関連する技術では、表示装置内部での電力４０［Ｗ］と外部機器の電力３０［Ｗ］をまかなうために７０［Ｗ］が供給できる電源の大きさを必要としたが、実施の形態を用いた場合は、バックライトの電力を制限して電力に余裕を持たせるため、４０［Ｗ］の電源サイズで外部機器の要求電力を供給できる。
【００１８】
関連する技術の課題であった供給電力を増やしたために表示装置のサイズを増やすといったことをせず、表示装置の大きさを変えることなく、必要なときにＵＳＢなどのポート（インタフェース）側に、関連技術との比で例えば６倍（５［Ｗ］->３０［Ｗ］）を超える大電力を分配できるということが、実施の形態の特徴である。
【００１９】
すなわち、実施の形態では、電源の体積を変えることがないため、表示装置の大きさも変わることがない。さらに、実施の形態では、大電力機器の接続が可能になり、表示装置に接続できる機器の幅が広がる効果がある。
【００２０】
例えば、関連するＵＳＢでは駆動することが不可能であったノートパソコン（ラップトップパソコン）を表示装置のＵＳＢ端子に接続することによって、ノートパソコンをＡＣアダプタレスで駆動することが可能になる。このとき、電源と信号が同一のケーブルで通信できるために表示装置周りのケーブルの本数を減らすことができ、表示装置の設置環境の改善にもつながる。
【００２１】
さらに、関連する方式ではバックライトの明るさ調整をＬＥＤの点灯個数で行う例もあるが、この場合、ＬＥＤの点灯個数を減らすことにより明るさにムラが発生することになる。しかし、実施の形態では明るさを画面全体で制御することにより、画面明るさの均一化を保つことができる。
【００２２】
また、関連する方式ではバッテリーを用いた機器への適用を対象とする例もあるが、この場合、バッテリー減少度合いの抑制のためであり、外部機器が大電力機器であることを想定されていなかった。しかし、実施の形態では、大電力機器の接続も想定し、優先的にＵＳＢ外部機器への電力を分配する。
【００２３】
（実施の形態１）
以下、図面を参照して実施の形態１について説明する。図２は、本実施の形態に係る表示装置（画像表示装置）１００の構成例を示している。例えば、表示装置１００は、液晶パネルに画像を表示する液晶表示装置である。図２は、ＵＳＢ端子（ＵＳＢポート）にマウスやノートＰＣなどの外部機器２００が接続されている状態を示している。
【００２４】
表示装置１００は、本実施の形態の主要部である電力制御部１１０とその他画像表示装置に必要なデバイスを備えている。具体的には、図２に示すように、表示装置１００は、電源供給部１０１、ＵＳＢポート１０２、ＵＳＢ制御部１０３、バックライト１０４、バックライト制御部１０５、電力検出部１１１、電力検出部１１２、分配電力演算部１１３、明るさ制御部１１４、明るさ設定部１１５を備えている。
【００２５】
電源供給部１０１は、表示装置１００の内部電源であり、バックライト１０４（バックライト制御部１０５）を含む内部の各構成へ電源を供給し、さらに、ＵＳＢポート１０２を介して外部機器２００へ電源を供給する。ＵＳＢポート１０２は、ＵＳＢ機器である外部機器２００を接続するポート（インタフェース）であり、ＵＳＢ規格にしたがって信号の送受信や電力供給などを行うポートである。ＵＳＢ制御部１０３は、ＵＳＢポート１０２に接続された外部機器２００との接続制御や、外部機器２００が要求する要求電流を取得する。
【００２６】
バックライト１０４は、不図示の液晶パネル用のバックライトであり、ＬＥＤなどのバックライト光源を備えている。バックライト制御部（バックライト駆動部）１０５は、電源供給部１０１から供給される電源をもとにバックライト１０４を駆動する。バックライト制御部１０５は、例えばＤＣ−ＤＣコンバータで構成され、明るさ制御部１１４からの電力制御値（明るさ制御値）に応じてバックライト１０４の駆動電力を生成する。例えば、バックライト制御部１０５は、ＰＷＭ（Pulse Width Modulation）信号（周期パルス信号）を生成し、生成したＰＷＭ信号によりバックライト１０４を駆動するため、電力制御値はＰＷＭデューティ（デューティ比）である。
【００２７】
例えば、電力検出部１１１、電力検出部１１２、分配電力演算部１１３、明るさ制御部１１４は、外部機器２００の要求電力に基づいて、バックライト１０４の電力（明るさ）を制御する電力制御部１１０を構成する。電力検出部（第１の電力検出部）１１１は、外部機器２００が要求する要求電力を検出する外部機器電力検出部である。例えば、電力検出部１１１は、ＵＳＢ制御部１０３から外部機器２００の要求電流を取得し、取得した要求電流をもとに外部機器２００の要求電力を算出する。要求電力は、外部機器２００から要求された電力でもよいし、外部機器２００へ供給している電力を検出器（電流検出器や電力検出器）によって検出した電力でもよい。電力検出部（第２の電力検出部）１１２は、バックライト１０４の電力（消費電力、駆動電力）を検出するバックライト電力検出部である。例えば、電力検出部１１２は、バックライト制御部１０５からバックライト１０４の電流（消費電流、駆動電流）を取得し、取得した電流をもとにバックライト１０４の電力を算出する。
【００２８】
分配電力演算部１１３は、電源供給部１０１が供給している電力の電源電力情報をもとに、外部機器２００とバックライト１０４に分配する電力を求める。分配電力演算部１１３は、電力検出部１１１が検出した外部機器２００の要求電力と、電力検出部１１２が検出したバックライト１０４の電力とに基づいて、外部機器２００とバックライト１０４の電力を決定する。
【００２９】
明るさ設定部１１５は、ユーザーが表示画面（バックライト）の明るさ（輝度）を設定する設定部である。明るさ設定部１１５は、メモリ（記憶部）を含み、メモリに設定された明るさ設定値を記憶する。明るさ制御部１１４は、分配電力演算部１１３が求めたバックライト１０４の電力（要求電力に基づく電力）と明るさ設定部１１５の明るさ設定値とに基づいて、バックライト１０４の電力（明るさ）を制御する電力制御値を生成する。
【００３０】
本実施の形態では、一例として、表示装置１００は、４０［Ｗ］の電源（電源供給部１０１）を搭載している装置であり、外部機器（ＵＳＢ機器）２００は最大３０［Ｗ］の電力を要求し、バックライト１０４を含む表示装置内部機器は最大３０［Ｗ］の電力（最大内部電力）を必要とする。電源が供給可能な最大（合計）の電力４０［Ｗ］から最大内部電力３０［Ｗ］を引いた電力１０［Ｗ］を供給余裕電力とする。
【００３１】
次に、図３のフローチャートを用いて、本実施の形態に係る電力制御部１１０を含む表示装置１００の動作について説明する。
【００３２】
図３に示すように、まず、ＵＳＢ側の制御動作として、ＵＳＢ制御部１０３は、ＵＳＢポート１０２より外部機器２００との情報通信、または電流検出器（不図示）を用いてＵＳＢの電源ラインを流れる電流値を検出することで、外部機器２００の電流を取り込む（Ｓ１０１）。ＵＳＢ制御部１０３は、外部機器２００との通信プロトコル（ＵＳＢ規格）に従った信号の送受信によって、外部機器２００が必要とする電流情報を取得する。電流検出器を使用する場合、電流センサによりＵＳＢケーブルの電源ラインを流れる電流値を取得する。
【００３３】
このとき、ＵＳＢ制御部１０３から要求電流値を次段の電力検出部１１１へ送り、電力検出部１１１は、電源からの供給電圧と外部機器２００の要求電流の積より要求電力（需要電力）を検出する。なお、外部機器２００へ供給する電圧が固定の場合は、所定の電圧と要求電流（または検出電流）とを用いて要求電力を求めてもよいし、供給する電圧が可変の場合は、外部機器２００から取得した要求電圧（または検出電圧）を用いて要求電力を求めてもよい。
【００３４】
続いて、分配電力演算部１１３は、外部機器２００の要求電力を判定し（Ｓ１０２、Ｓ１０４）、その後のバックライト１０４の制御動作を以下のように決定する。
【００３５】
１．外部機器２００からの要求電力が１０［Ｗ］以下の場合
分配電力演算部１１３は、外部機器２００からの要求電力が１０［Ｗ］以下（供給余裕電力より小さい）の場合（Ｓ１０２でＹｅｓ）、そのまま要求電力を供給すると判断する。すなわち、外部機器２００の要求電力と装置内部の電力の合計電力が電源容量（４０［Ｗ］）以下のため、バックライト１０４の明るさ制限（電力制限）は行わない（Ｓ１０３）。なお、この場合、ＵＳＢ制御部１０３は、ＵＳＢポート１０２から外部機器２００へ要求電力を供給するように制御する。
【００３６】
２．外部機器２００からの要求電力が３０［Ｗ］以上の場合
分配電力演算部１１３は、外部機器２００からの要求電力が３０［Ｗ］以上（最大内部電力より大きい）の場合（Ｓ１０４でＹｅｓ）、電源からの供給能力を超えるため、現在供給できる最大電力（３０［Ｗ］）を供給すると判断する（Ｓ１０５）。外部要求電力と内部電力の合計電力が電源容量（４０［Ｗ］）以下となるよう、バックライト１０４の明るさ制限を行う。すなわち、バックライト１０４を含む表示装置内部機器は最大１０［Ｗ］の電力（供給余裕電力）を、外部機器２００は３０［Ｗ］の電力を使えるように制御する。なお、この場合、ＵＳＢ制御部１０３は、ＵＳＢポート１０２から外部機器２００へ３０［Ｗ］の電力を供給するように制御する。
【００３７】
３．外部機器２００からの要求電力が１０［Ｗ］以上かつ３０［Ｗ］以下の場合
分配電力演算部１１３は、外部機器２００からの要求電力が１０［Ｗ］以上かつ３０［Ｗ］以下（供給余裕電力から最大内部電力の範囲内）の場合（Ｓ１０４でＮｏ）、外部機器２００からの要求電力情報をもとに、要求された電力（最大３０［Ｗ］）を供給すると判断する（Ｓ１０６）。すなわち、バックライト１０４を含む表示装置内部機器が、最大で４０［Ｗ］から要求電力を引いた差分電力を使用するように制御する。なお、この場合、ＵＳＢ制御部１０３は、ＵＳＢポート１０２から外部機器２００へ要求電力を供給するように制御する。
【００３８】
一方、バックライト側の制御動作として、ＵＳＢ側と同様に、バックライト制御部１０５は、例えば電流検出器（不図示）を用いてバックライト１０４を流れる電流値を検出することで、バックライト１０４の電流を取り込む（Ｓ１１１）。さらに、バックライト制御部１０５から電流値を次段の電力検出部１１２へ送り、電力検出部１１２は、バックライト１０４に供給される電源と検出した電流の積よりバックライト１０４の現在の供給電力（消費電力）を計算する（Ｓ１１２）。
【００３９】
続いて、分配電力演算部１１３は、Ｓ１０５またはＳ１０６で決定した外部機器２００への電力と、Ｓ１１２で求めたバックライト１０４の電力に基づいて、電力分配を演算する（Ｓ１１３）。分配電力演算部１１３は、電源電力情報（電源が供給可能な電力の総和の情報）、ＵＳＢの電力検出部１１１から送られた要求電力の情報、バックライト１０４の電力検出部１１２から受信した消費電力の情報からバックライト１０４へ供給可能な電力値を演算する。具体的には、電源から供給できる電力の情報を受信し、その値より外部機器２００が要求する電力値の差を求め、その差分電力をバックライト１０４が使用可能な電力とする（内部機器の電力をバックライトが優先的に使用できるものとする）。
【００４０】
続いて、明るさ制御部１１４は、電力が指定値以下となるよう、バックライト１０４の明るさ制限情報（電力制御値）を生成し、バックライト制御部１０５へ出力する（Ｓ１１４）。図４は、明るさ設定部１１５（記憶部内）にユーザーが設定した明るさ設定と、バックライト出力（電力）との関係を示している。すなわち、図４のように、外部機器２００の要求電力によって、ユーザーが設定した明るさ設定に制限をかける。ユーザー設定の明るさに基づいて、前段から送られた電力制限情報（バックライト１０４で使用可能と判断した電力）を補正することにより、外部機器２００の要求電力がまかなえるまでバックライト１０４の明るさを制限する。その時の明るさの設定値（電力制御値）をバックライト制御部１０５に出力する。
【００４１】
以上のように、本実施の形態では、外部機器の要求電力に基づいてバックライトの明るさ設定が制限され、バックライトの電力が抑えられることにより、その分電力に余裕が生まれ、電力を外部機器へと振り分けることができる。
【００４２】
具体例を用いて説明すると、例えば、表示装置が４０［Ｗ］の電源を搭載し、ＵＳＢの外部機器の要求電力が１０［Ｗ］、バックライトの電力が３０［Ｗ］だったとする。ここで、外部機器の要求電力が３０［Ｗ］に増えたとしても、本実施の形態の表示装置では、バックライトの明るさを制限してバックライトの電力を１０［Ｗ］に抑えることによって、電源の供給電力を増やすことなく、外部機器へ必要な電力を供給することができる。このことによって、関連する技術では７０［Ｗ］の大きさの電源を表示装置に搭載する必要があったものの、本実施の形態を用いることによって、外部機器への電力供給のために電源容量を増やす必要がなくなり、４０［Ｗ］の電源の大きさのままで、外部機器へ電力を供給できるようになる。
【００４３】
また、複数の外部機器が接続された場合は、すべての外部機器に要求電力を供給できるようであればバックライトの明るさを制限して供給をする。一方で、すべての外部機器に電力を供給できないのであれば、省電力機器に限って電力を供給するモードと、特定の機器を選択して供給するモードを切り替えられるようにしてもよい。この場合、図２のＵＳＢ制御部１０３で各ＵＳＢポートに接続されている外部機器を検出し、消費電力が小さい外部機器と、消費電力が大きい外部機器とに分類する。例えば、図３のフローチャートに沿って、機器一台あたりの消費電力が１０［Ｗ］以下かどうかで、消費電力の小さい機器と大きい機器との分類をする。
【００４４】
消費電力が小さい機器を多数接続するモードを選択した場合は、消費電力が大きい機器には電力を供給せず、使用不可となるが、消費電力の小さい機器は複数接続できるようになる。ＵＳＢ機器には可搬型も多く、省電力で動作する機器も多い。そのため、このモードでは大電力機器の動作は犠牲になってしまうものの、機器を多数接続できることにより、ＵＳＢ外部機器の並列使用が可能になる。
【００４５】
一方で、特定の機器を選択して電力を供給するモードでは大電力機器の使用を可能とする。このモードではＵＳＢ制御部で検出したＵＳＢ外部機器の一覧を提示(表示)し、その中からユーザーが使用したい機器を選択して電力を供給するモードである。このモードの場合、大電力機器を選択することができる代わりに少数の機器しかつなげられなくなる。なお、電源から供給できる電力範囲内で複数の機器を選択できるモードと、択一的に動作させる機器を選択できるモードとに細分化できるが、前者は消費電力が小さい機器を多数つなげるモードに含まれるので、本実施の形態では、特定の機器を選択して電力を供給するモードでは後者の動作をすることとする。
【００４６】
（実施の形態２）
次に、図面を参照して実施の形態２について説明する。実施の形態１では、表示装置にＵＳＢ機器を接続する例について説明したが、ＵＳＢ機器以外に実施の形態を適用してもよい。例えば、本実施の形態では、表示装置のＤｉｓｐｌａｙＰｏｒｔ（ＤＰ）に外部機器を接続する例について説明する。
【００４７】
例えば、ＤｉｓｐｌａｙＰｏｒｔ（ＤＰ）には３．３［Ｖ］の電力が供給されており、外部機器をデイジーチェーン接続する場合、ＤｉｓｐｌａｙＰｏｒｔ  ＯＵＴが必要となる。このＯＵＴ端子に３．３［Ｖ］動作の外部機器を接続することにより、外部機器の動作が可能となる。
【００４８】
現在のＤｉｓｐｌａｙＰｏｒｔは流せる電流は、ＤｉｓｐｌａｙＰｏｒｔ制御部、およびＤｉｓｐｌａｙＰｏｒｔケーブルによって制限されているが、その制限が緩和された場合、デイジーチェーン機能により数珠繋ぎ状に接続された外部機器を表示装置からの供給電力のみで動作させることが可能になる。
【００４９】
その際、実施の形態１と同様のアルゴリズムを用いることにより、バックライトの明るさを制限することにより、ＤｉｓｐｌａｙＰｏｒｔに接続された外部機器に多くの電力を供給することができる。また、ＵＳＢの様に表示装置から何本ものケーブルを出さずとも外部機器同士で接続ができるので、省スペース化にもなる。
【００５０】
図５は、本実施の形態に係る表示装置１００の構成例を示している。図５に示すように、本実施の形態に係る表示装置１００は、図２の実施の形態１と比べて、ＵＳＢポート１０２及びＵＳＢ制御部１０３の代わりに、ＤＰポート１２１及びＤＰ制御部１２２を備えており、その他の構成は実施の形態１と同様である。
【００５１】
ＤＰポート１２１は、ＤｉｓｐｌａｙＰｏｒｔ対応の外部機器２００を接続するポート（インタフェース）であり、ＤｉｓｐｌａｙＰｏｒｔ規格にしたがって信号の送受信や電力供給などを行うポートである。ＤＰ制御部１２２は、ＤＰポート１２１に接続された外部機器２００との接続制御や、外部機器２００が要求する要求電流を取得する。
【００５２】
本実施の形態に係る表示装置１００の大まかな電力フローと信号フローは、実施の形態１の場合と同じであるが、外部機器がデイジーチェーンされている場合は下段の機器の電力情報を上段の機器を通してフィードバックする必要がある。その情報をもとにＤＰ制御部１２２は、外部機器２００ａと外部機器２００ｂの電力分配を決定する。そこで、すべての外部機器２００に電力を供給できるかできないかで動作が変化する。
【００５３】
１．すべての外部機器２００に電力が供給できる場合
バックライト１０４を調光することによってすべての外部機器２００に電力が供給できる場合は、外部機器２００へ必要な電力をまかなえるだけバックライト１０４を調光して、すべての外部機器２００を動作させる。
【００５４】
２．すべての外部機器２００には電力が供給できない場合
バックライト１０４を調光してもすべての外部機器２００へ電力が供給できない場合は、ＵＳＢの実施の形態１と同じく、使用できる機器の選択を行う。例えば外部機器２００ａのみ動作させる場合はＤｉｓｐｌａｙＰｏｒｔ制御部より外部機器２００ａのみ電力を供給して外部機器２００ｂには電力を供給しない動作を行う。
【００５５】
このようにして、ＤｉｓｐｌａｙＰｏｒｔを用いても本実施の形態を用いることにより、外部機器への大電力の供給が可能となる。ＤｉｓｐｌａｙＰｏｒｔは映像信号ではなく、データ信号も扱えるため、外部機器接続に対してはハードルが低いインタフェースであるため、ＵＳＢ外部機器接続と大きなアルゴリズムの変化なしに発明の実施が可能である。
（その他の実施の形態）
【００５６】
上記実施の形態では、外部機器へ供給する電力に応じてバックライトを調光（明るさ制御）するため、ユーザーが画面の暗さを感じる恐れがある。これを軽減するため、例えば次のような対策を上記実施の形態に適用してもよい。
【００５７】
１．ムラ補正を緩めることにより明るさを向上させる。
上記実施の形態において、バックライト制御部がバックライトのムラ補正を実行している場合、このムラ補正をすることによって画面中心部の明るさを暗くしているため、ムラ補正の補正量を減らすことによって明るさの低下を緩和することができる。
【００５８】
２．暗くなる前に予め、警告画面を表示することによってユーザーへの明るさ低下を通知する。
外部機器を接続した時に、画面が暗くなることはユーザーにとっては不快な現象であるため、上記実施の形態において、バックライト制御部がバックライトの明るさを低下させる場合、表示装置の画面（表示部）に、画面が暗くなることを告知（表示）したうえで明るさを制限する。ユーザーへの通知は表示に限らず、音や振動、その他の手段で通知してもよい。
【００５９】
なお、本発明は上記実施の形態に限られたものではなく、趣旨を逸脱しない範囲で適宜変更することが可能である。
【００６０】
上記実施の形態における各構成は、ハードウェア又はソフトウェア、もしくはその両方によって構成され、１つのハードウェア又はソフトウェアから構成してもよいし、複数のハードウェア又はソフトウェアから構成してもよい。実施の形態における各機能（各処理）を、ＣＰＵやメモリ等を有するコンピュータにより実現してもよい。例えば、記憶装置（記憶媒体）に実施の形態における表示方法（制御方法）を行うための表示プログラム（制御プログラム）を格納し、各機能を、記憶装置に格納された表示プログラムをＣＰＵで実行することにより実現してもよい。
【００６１】
このようなプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００６２】
１０      表示装置
１１      表示パネル
１２      バックライト
１３      外部接続インタフェース
１４      内部電源
１５      制御部
２０      外部機器
１００    表示装置
１０１    電源供給部
１０２    ＵＳＢポート
１０３    ＵＳＢ制御部
１０４    バックライト
１０５    バックライト制御部
１１０    電力制御部
１１１    電力検出部
１１２    電力検出部
１１３    分配電力演算部
１１４    明るさ制御部
１１５    明るさ設定部
１２１    ＤＰポート
１２２    ＤＰ制御部
２００、２００ａ、２００ｂ  外部機器
【図１】
2018029028.tif 000003
【図２】
2018029028.tif 000004
【図３】
2018029028.tif 000005
【図４】
2018029028.tif 000006
【図５】
2018029028.tif 000007